Podtech/llm-jp-corpus-v4-ja_patent huggingface dataset:
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
フリップチップの電極表面およびパッケージ基板の表面に同時に金属を電鋳し、フリップチップの電極とパッケージ基板との間の前記金属による接続を実現することを特徴とする、フリップチップのパッケージ方法。
【請求項２】
フリップチップの周囲にパッケージ基板を設置するステップＳ１と、
フリップチップの電極表面とパッケージ基板の表面に金属導電膜をコーティングするステップＳ２と、
金属導電膜の表面にフォトレジストを塗布するステップＳ３と、
マスクアライナにおいて、フォトリソグラフィプレート上での電極構造とフリップチップの電極構造をアライメントしてフォトエッチングし、露光及び現像した後に、フリップチップの電極表面とパッケージ基板の表面が同一領域にあるフォトレジスト構造モールドを得ると共に、フリップチップの電極間の絶縁箇所をフォトレジストが被覆するようにするステップＳ４と、
前記金属導電膜を電極とし、前記フォトレジスト構造モールド内におけるフリップチップの電極表面およびパッケージ基板の表面に同時に前記金属を電鋳して、前記フォトレジスト構造モールド内を前記金属で覆われるようにし、フリップチップの電極とパッケージ基板との間の前記金属による接続を実現するステップＳ５と、
ステップＳ４で前記絶縁箇所を被覆するフォトレジストおよびフォトレジストで被覆される金属導電膜を除去するステップＳ６とを含むことを特徴とする、請求項１に記載のパッケージ方法。
【請求項３】
ステップＳ６の後に、
前記パッケージ基板を除去するステップＳ７を更に含むことを特徴とする、請求項２に記載のパッケージ方法。
【請求項４】
前記金属導電膜は、フリップチップの電極表面およびパッケージ基板の表面の上方に位置するクロム導電層と、前記クロム導電層の上方に位置する金導電層とを含むことを特徴とする、請求項２又は３に記載のパッケージ方法。
【請求項５】
前記金導電層は、厚さが２０〜４００ｎｍであり、前記クロム導電層は、厚さが２０〜４００ｎｍであることを特徴とする、請求項４に記載のパッケージ方法。
【請求項６】
前記フォトレジストは、ＡＺ４６２０フォトレジスト、ＡＺ−５０ＸＴフォトレジスト、ＳＵ８フォトレジスト、又はＰＭＭＡフォトレジストであることを特徴とする、請求項２〜５のいずれか一項に記載のパッケージ方法。
【請求項７】
ステップＳ３において、シャロートレンチ方式で前記フォトレジストを塗布することを特徴とする、請求項２〜６のいずれか一項に記載のパッケージ方法。
【請求項８】
ステップＳ３において、スピン方式で、２００〜６０００回転／分の回転速度で前記フォトレジストを塗布することを特徴とする、請求項２〜６のいずれか一項に記載のパッケージ方法。
【請求項９】
前記金属は、銅、ニッケルまたは金であることを特徴とする、請求項１〜８のいずれか一項に記載のパッケージ方法。
【請求項１０】
ステップＳ６は、
ゾル溶液で前記絶縁箇所を被覆しているフォトレジストを溶解するステップＳ６１と、
金腐食液によりフォトレジストで被覆されている金導電層を腐食するステップＳ６２と、
クロム腐食液により金導電層で被覆されているクロム導電層を腐食するステップＳ６３とを含むことを特徴とする、請求項４または５に記載のパッケージ方法。
【請求項１１】
前記フリップチップの電極表面に金属層を設置することを特徴とする、請求項１〜１０のいずれか一項に記載のパッケージ方法。
【請求項１２】
前記フリップチップの電極表面に金属層を設置しないことを特徴とする、請求項１〜１０のいずれか一項に記載のパッケージ方法。
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
回転式真空包装システムの１つまたは複数の気密空間に真空圧力を分配するための回転式真空弁であって、
前記回転弁は、
真空システムに連通する１つまたは複数の進入ポート、および、診断システムに連通する１つまたは複数の診断ポートを画定する静止部分と、
真空路を介して対応する真空チャンバにそれぞれ連通する複数のチャンバポートを画定する回転部分であって、それぞれの真空チャンバは、気密空間を形成するように構成されている、回転部分と
を含み、
前記回転部分は、前記静止部分に対して回転するように構成されており、それによって、前記複数のチャンバポートのそれぞれを前記静止部分の前記１つまたは複数の進入ポートに選択的に位置合わせして、前記対応する真空チャンバを前記真空システムに連通する状態に置き、また、前記複数のチャンバポートのそれぞれを前記診断ポートに選択的に位置合わせして、前記対応する真空チャンバを前記診断システムに連通する状態に置くようにされていることを特徴とする真空圧力を分配するための回転式真空弁。
【請求項２】
前記複数のチャンバポートのそれぞれが、前記回転部分の前記回転領域の一部分において、前記進入ポートに位置合わせされていることを特徴とする請求項１に記載の回転式真空弁。
【請求項３】
前記真空チャンバが気密空間を形成している間に、前記診断システムが、前記診断ポートを通して真空チャンバの中の真空圧力を測定するように構成されていることを特徴とする請求項１または２に記載の回転式真空弁。
【請求項４】
前記静止部分が、前記真空システムに連通する第２の進入ポートをさらに画定するように構成されていることを特徴とする請求項１または２に記載の回転式真空弁。
【請求項５】
前記静止部分が、２つ以上のクロスベント・ポートをさらに画定し、前記２つ以上のクロスベント・ポートは、それらの間で連通しているとともに、２つ以上のチャンバポートを互いに連通する状態に置くように構成されていることを特徴とする請求項１に記載の回転式真空弁。
【請求項６】
前記静止部分が、１つまたは複数の圧縮空気進入ポートをさらに画定しており、前記回転部分が、複数のチャンバ圧縮空気ポートをさらに画定しており、前記複数のチャンバ圧縮空気ポートは、それぞれの気密空間に対応する空気圧作動式の機構にそれぞれ連通していることを特徴とする請求項１に記載の回転式真空弁。
【請求項７】
前記空気圧作動式の機構が、押上げられた位置と後退した位置との間で移動可能なヒートシール機構であることを特徴とする請求項６に記載の回転式真空弁。
【請求項８】
前記静止部分が、それぞれのチャンバポートを周囲の環境に流体連通するための最終的なベントポートをさらに画定していることを特徴とする請求項１に記載の回転式真空弁。
【請求項９】
１つまたは複数の診断ポートが、様々な真空段階における真空チャンバの真空レベルをモニタリングするように位置決めされていることを特徴とする請求項１から８までのいずれか１項に記載の回転式真空弁。
【請求項１０】
真空システムに連通する進入ポート、および、真空特性をモニタリングするように構成されている診断システムに連通する診断ポートを画定する静止部分と、
真空路を介して単一の対応する真空チャンバにそれぞれ連通する１つまたは複数のチャンバポートを画定する回転部分と、
からなる回転式空気弁を備えた回転式真空包装システムの真空特性をモニタリングするための方法であって、
少なくとも１つのチャンバポートが前記進入ポートに位置合わせされるようになっており、前記対応する真空チャンバが、前記真空システムに連通するようになっており、かつ前記真空システムが、前記対応する真空チャンバの中から空気を排出させるようになっている第１の位置まで、前記回転式真空弁の前記回転部分を回転させるステップと、
前記少なくとも１つのチャンバポートが、前記回転式真空弁の前記静止部分の前記診断ポートに位置合わせされるようになっており、かつ前記対応する真空チャンバが、前記診断システムに連通して、前記対応する真空チャンバの前記真空特性をモニタリングするようになっている第２の位置まで、前記回転式真空弁の前記回転部分を回転させるステップと、
を含むことを特徴とする真空特性をモニタリングするための方法。
【請求項１１】
真空チャンバをベントして前記真空チャンバの中の前記真空圧力を低減させるステップをさらに含むことを特徴とする請求項１０に記載の真空特性をモニタリングするための方法。
【請求項１２】
前記真空チャンバをベントするステップが、前記真空チャンバを大気圧にある第２の真空チャンバに連通する状態にして、それら真空チャンバの間の前記圧力を等しくさせるステップを含むことを特徴とする請求項１１に記載の真空特性をモニタリングするための方法。
【請求項１３】
前記真空チャンバをベントするステップを、前記回転弁の前記回転部分を前記第２の位置まで回転させる前に発生させることを特徴とする請求項１１または１２に記載の真空特性をモニタリングするための方法。
【手続補正書】
【提出日】平成30年9月19日(2018.9.19)
【手続補正１】
【補正対象書類名】明細書
【補正対象項目名】０１６８
【補正方法】変更
【補正の内容】
【０１６８】
【図１】Ｋｂ２（カザクスタニアブルデリ（Ｋａｚａｃｈｓｔａｎｉａ  ｂｕｌｄｅｒｉ）ＭＵＣＬ５４５３０で発酵させたライ麦麦芽粉加水分解物）およびＳＣ２（サッカロミセスセレビシエ（Ｓａｃｃｈａｒｏｍｙｃｅｓ  ｃｅｒｅｖｉｓｉａｅ）で発酵させたライ麦麦芽粉加水分解物）の香りのプロファイル。
【図２】Ｋｂ２（カザクスタニアブルデリ（Ｋａｚａｃｈｓｔａｎｉａ  ｂｕｌｄｅｒｉ）ＭＵＣＬ５４５３０で発酵させたライ麦麦芽粉加水分解物）およびＳｃ２（サッカロミセスセレビシエ（Ｓａｃｃｈａｒｏｍｙｃｅｓ  ｃｅｒｅｖｉｓｉａｅ）で発酵させたライ麦麦芽粉加水分解物）で調製したパンの香りのプロファイル。
【誤訳訂正書】
【提出日】平成30年11月13日(2018.11.13)
【誤訳訂正１】
【訂正対象書類名】明細書
【訂正対象項目名】０００６
【訂正方法】変更
【訂正の内容】
【０００６】
本発明に係るサソリ毒耐熱合成ペプチド（ＳＶＨＲＳＰ）のアミノ酸配列は以下のとおりである：ＳＥＱ  ＩＤ  Ｎｏ．１：（Ｎ端）Ｌｙｓ−Ｖａｌ−Ｌｅｕ−Ａｓｎ−Ｇｌｙ−Ｐｒｏ−Ｇｌｕ−Ｇｌｕ−Ｇｌｕ−Ａｌａ−Ａｌａ−Ａｌａ−Ｐｒｏ−Ａｌａ−Ｇｌｕ（Ｃ端）。サソリ毒耐熱合成ペプチドは人工合成された活性ポリペプチドであり、１５個のアミノ酸残基を含み、分子量が１５２４Ｄａである。
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
ハマナスの花抽出物を有効成分として含む、ＩＬ−６（interleukin-6）媒介性疾患の予
防又は治療用薬学的組成物。
【請求項２】
前記抽出物が、水、炭素数１〜４の低級アルコール、又はこれらの混合溶媒で抽出して得られるものである、請求項１に記載の薬学的組成物。
【請求項３】
前記低級アルコールが、メタノール、エタノール又はブタノールである、請求項２に記載の薬学的組成物。
【請求項４】
前記抽出物が、ＳＴＡＴ３（signal transducers and activators of transcription 3）の活性を阻害するものである、請求項１に記載の薬学的組成物。
【請求項５】
前記ＩＬ−６媒介性疾患が、骨代謝性疾患、炎症性腸疾患、又はアトピー性皮膚炎である、請求項１に記載の組成物。
【請求項６】
前記骨代謝性疾患が、骨粗しょう症である、請求項５に記載の薬学的組成物。
【請求項７】
前記抽出物が、破骨細胞の分化を抑制するものである、請求項５に記載の薬学的組成物。
【請求項８】
ハマナスの花抽出物を有効成分として含む、ＩＬ−６（interleukin-6）媒介性疾患の予
防又は治療用薬学的組成物の使用。
【請求項９】
ハマナスの花抽出物を有効成分として含む、ＩＬ−６（interleukin-6）媒介性疾患の予
防又は改善用食品組成物。
【請求項１０】
ハマナスの花抽出物を有効成分として含む、ＩＬ−６（interleukin-6）媒介性疾患の予
防又は改善用医薬部外品組成物。
【請求項１１】
ハマナスの花抽出物を有効成分として含む、ＩＬ−６（interleukin-6）媒介性疾患の予
防又は改善用飼料組成物。
【請求項１２】
ハマナスの花抽出物を有効成分として含む、ＩＬ−６（interleukin-6）媒介性疾患の予
防又は改善用飲用水添加剤。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
ポンプ（１０）であって、
回転軸（Ａ）を中心に回転可能であり、ロータハブ（２８）、および前記ロータハブ（２８）から半径方向に延在し、前記ロータハブ（２８）を起伏のある様式で囲繞するロータカラー（３０）を備える、ロータ（２６）と、
第１の軸方向のハウジング構成要素（１８）、中央環状ハウジング構成要素（２０）、および第２の軸方向のハウジング構成要素（２２）を備えるポンプハウジング（１６）であって、ポンプダクト（３２）が、軸方向においては前記第１のハウジング構成要素および前記第２のハウジング構成要素（１８、２２）によって形成され、半径方向においては前記中央環状ハウジング構成要素（２０）および前記ロータ（２６）によって形成され、前記中央ハウジング構成要素（２０）が、注入口／排出口空間（４４，４６）を形成するように前記ポンプダクト（３２）から半径方向に隔置され、注入口／排出口空間（４４，４６）は、前記環状ポンプダクト（３２）の半径方向外側に位置し、前記ポンプダクト（３２）の軸方向高さ全体にわたって延在する、ポンプハウジング（１６）と、
を有する、ポンプ（１０）。
【請求項２】
前記環状ポンプダクト（３２）が、一定の断面を有し、第１の半径方向外側の注入口／排出口空間（４４）を第２の半径方向外側の注入口／排出口空間（４６）に接続し、前記ポンプ（１０）が、閉塞装置（５０）をさらに有し、前記閉塞装置（５０）は、前記第１の半径方向外側の注入口／排出口空間（４４）と前記第２の半径方向外側の注入口／排出口空間（４６）との間に配置され、前記ロータカラー（３０）の両側で前記ポンプダクト（３２）を軸方向に閉塞する閉塞要素（５２）を備える、請求項１に記載のポンプ（１０）。
【請求項３】
ポンプ（１０）であって、
回転軸（Ａ）を中心に回転可能であり、ロータハブ（２８）、および前記ロータハブ（２８）から半径方向に延在し、前記ロータハブ（２８）を起伏のある様式で囲繞するロータカラー（３０）を備える、ロータ（２６）と、
環状ポンプダクト（３２）を前記ロータ（２６）と形成するポンプハウジング（１６）であって、前記ポンプダクト（３２）が、一定の断面を有し、第１の半径方向外側の注入口／排出口空間（４４）を第２の半径方向外側の注入口／排出口空間（４６）に接続する、ポンプハウジング（１６）と、
前記第１の半径方向外側の注入口／排出口空間（４４）と前記第２の半径方向外側の注入口／排出口空間（４６）との間に配置され、前記ロータカラー（３０）の両側で前記ポンプダクト（３２）を軸方向に閉塞する閉塞要素（５２）を備える閉塞装置（５０）と、
を有し、
第１および第２の半径方向外側の注入口／排出口空間（４４，４６）は、前記ポンプダクト（３２）の軸方向高さ全体にわたって形成される、ポンプ（１０）。
【請求項４】
前記ポンプハウジング（１６）が、第１の軸方向のハウジング構成要素（１８）、中央環状ハウジング構成要素（２０）、および第２の軸方向のハウジング構成要素（２２）を備え、前記ポンプダクト（３２）が、軸方向においては前記第１のハウジング構成要素および前記第２のハウジング構成要素（１８、２２）によって形成され、半径方向においては前記中央環状ハウジング構成要素（２０）および前記ロータ（２６）によって形成されている、請求項３に記載のポンプ（１０）。
【請求項５】
前記ポンプハウジング（１６）が、前記閉塞装置（５０）の前記閉塞要素（５２）のためのシート部（６０、６４）を形成する、請求項２〜４のいずれか一項に記載のポンプ（１０）。
【請求項６】
前記閉塞要素（５２）のための前記シート部（６０、６４）が、前記ポンプハウジング（１６）のチャンバ（５４）内に形成され、前記チャンバ（５４）が、前記環状ポンプダクト（３２）のセクタ内に形成され、軸方向において両側におよび半径方向において前記環状ポンプダクト（３２）の断面を越えて外方に延在する、請求項５に記載のポンプ（１０）。
【請求項７】
前記ロータ（２６）を起伏のある様式で囲繞する、前記ロータ（２６）の前記ロータカラー（３０）が、軸端部位置（７６）において平坦な端部面を有する、請求項１〜６のいずれか一項に記載のポンプ（１０）。
【請求項８】
前記ロータ（２６）および前記ポンプハウジング（１６）が、金属製である、請求項１〜７のいずれか一項に記載のポンプ（１０）。
【請求項９】
前記ロータ（２６）および／または前記ハウジング（１６）が、耐焼付性合金である、請求項１〜８のいずれか一項に記載のポンプ（１０）。
【請求項１０】
前記ポンプダクト（３２）から第１および第２の半径方向外側の注入口／排出口空間（４４，４６）への遷移部が、長方形断面を有する、請求項１〜９のいずれか一項に記載のポンプ（１０）。
【請求項１１】
シャフト（１４）が、片側支持を有する、請求項１〜１０のいずれか一項に記載のポンプ（１０）。
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
カテーテル配置装置であって、
減菌閉囲式チューブであって、ガイドワイヤ、前記ガイドワイヤに結合された第１の強磁性コンポーネント、及びカテーテルを備える、前記減菌閉囲式チューブと、
前記閉囲式チューブの外部にあり、前記減菌チューブ内の１つ又は複数の強磁性コンポーネントに結合された１つ又は複数の外部磁石とを備え、
前記閉囲式チューブの最大径は長さ方向であり、前記１つ又は複数の外部磁石は、前記ガイドワイヤに結合される前記第１の強磁性コンポーネントに結合される第１の外部磁石を備え、前記第１の外部磁石は、前記閉囲式チューブの長さの方向に並進可能である、前記カテーテル配置装置。
【請求項２】
前記閉囲式チューブは、身体に対するアクセスを提供するため少なくとも一端で開口している又は開口可能である、請求項１に記載のカテーテル配置装置。
【請求項３】
少なくとも２つの外部磁石、第１の外部磁石及び第２の外部磁石を備え、前記第１の外部磁石は、前記ガイドワイヤに結合される第１の強磁性アクチュエータに結合され、前記第２の外部磁石は、前記カテーテルに結合される第２の強磁性アクチュエータに結合され、
前記強磁性コンポーネントは、前記ガイドワイヤ及び／又は前記カテーテルと一体である可能性がある、又は、前記ガイドワイヤ及び／又は前記カテーテルと結合される又は近接している別個のコンポーネントである可能性があり、それにより、各コンポーネントの移動は、前記各コンポーネントが結合される前記ガイドワイヤ及び／又は前記カテーテルを移動させることになる、請求項１又は２に記載のカテーテル配置装置。
【請求項４】
全体的に平面のチューブ支持体及び前記チューブ支持体に対して前記閉囲式チューブを保持するマウント組立体を備える、請求項１〜３のいずれか１項に記載のカテーテル配置装置。
【請求項５】
前記外部磁石を移動させるのを補助するため、電力源及び１つ又は複数の運動制御コンピュータを備える、請求項１〜４のいずれか１項に記載のカテーテル配置装置。
【請求項６】
前記ガイドワイヤが遭遇する抵抗を測定するゲージを備える、請求項１〜５のいずれか１項に記載のカテーテル配置装置。
【請求項７】
前記ゲージは、前記閉囲式チューブの近位端に配設された透明窓を備え、それにより、前記ガイドワイヤは前記透明窓を通して見られる可能性がある、請求項６に記載のカテーテル配置装置。
【請求項８】
手把持部を更に備え、前記手把持部は、任意選択で、前記ガイドワイヤ及び／又は前記カテーテルを並進状態で及び／又は回転状態で移動させるためのコントロールを含む、請求項１〜７のいずれか１項に記載のカテーテル配置装置。
【請求項９】
前記第１の外部磁石又は前記第２の外部磁石は、ハルバッハ配列磁石を備える、請求項１〜８のいずれか１項に記載のカテーテル配置装置。
【請求項１０】
前記第１の外部磁石又は前記第２の外部磁石は、前記閉囲式チューブの円周の周りの方向に回転可能である磁界を有する、請求項１〜９のいずれか１項に記載のカテーテル配置装置。
【請求項１１】
前記第１の外部磁石及び前記第２の外部磁石は、前記閉囲式チューブの長さの方向に並進可能である、請求項１〜１０のいずれか１項に記載のカテーテル配置装置。
【請求項１２】
前記第１の強磁性アクチュエータは、シーブプレート用のマウントを備える、請求項３〜１１のいずれか１項に記載のカテーテル配置装置。
【請求項１３】
血管導入シースを通して導入される全周包囲式カテーテルに対するハブ融合を可能にするため環状拘束リングとして役立つ近位分離可能部分を有する、血管導入のためのシース。
【請求項１４】
内部を通過する緊塞具、近位スリーブ、及び粘着性接着剤を使用して、血管導入シース又は硬質管状カテーテルに組込まれる拘束リングを使用して、可撓性カテーテルへのベアの管状導管にプラスチック又は金属ハブを搭載するための方法。
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
第１伸長性不織布素地及び第２伸長性不織布素地と、
前記第１素地と前記第２素地との間に設けられ、第１素地と第２素地とを接合することで伸縮性接合領域を作る、少なくとも１種類の弾性ホットメルト接着剤組成物と、
を含む使い捨て衣類であって、
前記弾性ホットメルト接着剤組成物が、塗布温度約１７７℃において約２００，０００ｃｐｓ未満の粘度を有し、５０％ヒステリシス後に約２０％以下の硬化率を有し、
前記使い捨て衣類が、
１対の第１股関節前縁部及び第２股関節前縁部が始端する所でそれぞれ終端する第１腰縁部及び第２腰縁部からなる１対の対向する第１長手方向前縁部及び第２長手方向前縁部に実質的に垂直である、前ウエスト縁を有する前面パネルと、
１対の第１股関節後縁部及び第２股関節後縁部が始端する所でそれぞれ終端する第１後腰縁部及び第２後腰縁部からなる１対の対向する第１長手方向前縁部及び第２長手方向前縁部に実質的に垂直である、後ウエスト縁を有する後面パネルと、を含み、
前記第１前腰縁部が前記第１後腰縁部に連結され、前記第２前腰縁部が前記第２後腰縁部に連結されると、前記前ウエスト縁及び前記後ウエスト縁が胴周り開口部を形成し、前記第１股関節前縁部及び第１股関節後縁部が第１脚周り開口部を形成し、前記第２股関節前縁部及び前記第２股関節後縁部が第２脚周り開口部を形成し、
前記使い捨て衣類に追加の弾性ストランド部材がない、使い捨て衣類。
【請求項２】
装着時に引き伸ばされた状態において快適な形状を保持し、実質的にギャザーがない、請求項１に記載の使い捨て衣類。
【請求項３】
前記伸縮性接合領域が使い捨て衣類の少なくとも９０％を構成する、請求項１に記載の使い捨て衣類。
【請求項４】
前記第１伸長性不織布と前記第２伸長性不織布との間に吸収性コアを含む、使い捨て吸収性衣類形態を有する、請求項１に記載の使い捨て衣類。
【請求項５】
前記ウエスト縁周り及び前記伸縮性接合領域の前記長手方向縁部に貼りつけられる第３胴側不織布素地と、前記伸縮性接合領域と前記第３胴側不織布素地との間に設けられるコアと、を更に含む、請求項１に記載の使い捨て衣類。
【請求項６】
位置調整可能でない接合を介して腰縁部が連結される、請求項１に記載の使い捨て衣類。
【請求項７】
前記第１伸長性不織布及び前記第２伸長性不織布が同じ種類で、前記伸長性不織布の横方向の破断伸度が約７５％超である、請求項１に記載の使い捨て衣類。
【請求項８】
異なる第２弾性ホットメルト接着剤と異なるコート重量を有する弾性ホットメルト接着剤との両方、又はいずれか一方を備える第２接合領域を含む、請求項１に記載の使い捨て衣類。
【請求項９】
積層体が形成される間、いかなる方向にも実質的に元の状態を超えて伸びないように第１伸長性不織布素地及び第２伸長性不織布素地を提供する工程と、
塗布温度において粘度が約２００，０００ｃｐｓ未満であり、５０％ヒステリシス後の硬化率が約２０％以下の弾性ホットメルト接着剤を提供する工程と、
第１伸長性不織布素地及び第２伸長性不織布素地をそれぞれ縦方向に進行させる工程と、
前記弾性ホットメルト接着剤を熱溶融状態で前記第１伸長性不織布素地に塗布する工程と、
前記第２伸長性不織布素地を、前記熱溶融弾性ホットメルト接着剤が塗布された第１伸長性不織布素地と接触させ、層構成を形成する工程と、
前記層構成を冷却し、前記ホットメルト接着剤により接合された伸縮性積層体を作る工程と、を含む、伸縮性積層体を製造する方法。
【請求項１０】
積層体が形成される間、いかなる方向にも実質的に元の状態を超えて伸びないように第１伸長性不織布素地及び第２伸長性不織布素地を提供する工程と、
塗布温度において粘度が約２００，０００ｃｐｓ未満であり、５０％ヒステリシス後の硬化率が約２０％以下の弾性ホットメルト接着剤を提供する工程と、
第１伸長性不織布素地及び第２伸長性不織布素地をそれぞれ縦方向に進行させる工程と、
前記弾性ホットメルト接着剤を熱溶融状態で前記第１伸長性不織布素地に塗布する工程と、
前記弾性ホットメルト接着剤を熱溶融状態で前記第２伸長性不織布素地に塗布する工程と、
前記第１伸長性不織布素地及び前記第２伸長性不織布素地の前記熱溶融弾性ホットメルト接着剤が塗布された表面同士を接触させ、層構成を形成する工程と、
前記層構成を冷却し、前記ホットメルト接着剤により接合された伸縮性積層体を作る工程と、を含む、伸縮性積層体を製造する方法。
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
モジュール家具アレンジメントであって、
少なくとも３面で機械的及び電子的に連結可能な複数のモジュール家具要素と、
前記モジュール家具要素に連結可能な用途機能モジュールであって、該用途機能モジュールは、用途に基づいて選択され、前記複数のモジュール家具要素及び該用途機能モジュールの内部には、互いに絶縁された少なくとも２つの導電構造体が配され、該導電構造体は、複数のモジュール家具要素の間及びモジュール家具要素と少なくとも１つの用途機能モジュールとの間で、機械的固定手段及び導電体のいずれとしても動作する、用途機能モジュールと、
所望のサイズの家具全体を形成するために複数のモジュール家具要素を連結する少なくとも１つの連結部であって、該連結部は、材料又は材料の組み合わせの少なくとも１つの特徴を含み、該特徴は、機械的及び電気的固定によって、複数のモジュール家具要素が互いに連結可能であるように処理されることができる、連結部と、
前記モジュール家具要素と前記用途機能モジュールとの間に電気を通すための、前記モジュール家具要素と前記用途機能モジュールとの間の電気接続と、
を含むモジュール家具アレンジメント。
【請求項２】
複数のモジュール家具要素の間及びモジュール家具要素と少なくとも１つの用途機能モジュールとの間で情報を搬送する手段を含む、請求項１に記載のモジュール家具アレンジメント。
【請求項３】
複数のモジュール家具要素の間及び用途機能モジュールとスマートデバイスとの間で情報を搬送する手段を含む、請求項２に記載のモジュール家具アレンジメント。
【請求項４】
前記用途機能モジュールの電気制御により、少なくとも１つの用途機能モジュールの用途を変更する手段を含む、請求項１に記載のモジュール家具アレンジメント。
【請求項５】
互いに絶縁された少なくとも３つ以上の導電構造体を含み、該導電構造体は、複数のモジュール家具要素の間及びモジュール家具要素と少なくとも１つの用途機能モジュールとの間で、機械的固定手段及び導電体として動作する、請求項１に記載のモジュール家具アレンジメント。
【請求項６】
前記用途に応じて選択される少なくとも１つのパネル状のモジュール家具要素を含む、請求項１に記載のモジュール家具アレンジメント。
【請求項７】
複数の導電構造体と、モジュール家具要素の６面で複数のモジュール家具要素を連結する連結部を含み、前記導電構造体は、機械的固定手段及び導電体として動作する、請求項１に記載のモジュール家具アレンジメント。
【請求項８】
複数のモジュール家具要素の間の連結間の弾性を形成する手段を含む、請求項１に記載のモジュール家具アレンジメント。
【請求項９】
当該モジュール家具アレンジメントの選択された用途に好適な電圧レベルを変換する変圧器を少なくとも１つの用途機能モジュールとして含む、請求項１に記載のモジュール家具アレンジメント。
【請求項１０】
モジュール家具全体を形成する方法であって、
少なくとも３つの機械的及び電子的に連結する面を有する複数のモジュール家具要素と用途機能モジュールを接続する工程であって、該用途機能モジュールは用途に基づいて選択され、該複数のモジュール家具要素及び該用途機能モジュールの内部には、互いに絶縁された少なくとも２つの導電構造体が配され、該導電構造体は複数のモジュール家具要素の間及びモジュール家具要素と少なくとも１つの用途機能モジュールとの間で、機械的固定手段及び導電体のいずれとしても動作する、接続する工程と、
所望のサイズの家具全体を形成するために前記複数のモジュール家具要素を連結する工程であって、連結部の材料又は材料の組み合わせの少なくとも１つの特徴を変化させることによって、複数のモジュール家具要素が機械的及び電気的固定によって互いに連結されて、前記モジュール家具要素と前記用途機能モジュールとの間の電気接続が前記モジュール家具要素と前記用途機能モジュールとの間に電気を通すように構成される、連結する工程と、
を含む方法。
【請求項１１】
モジュール構築要素アレンジメントであって、
複数のモジュールパネル状構築要素であって、少なくとも３面で機械的及び電子的に他のモジュールパネル状構築要素に連結可能なモジュールパネル状構築要素と、
前記複数のモジュールパネル状構築要素の内部に配され、互いに絶縁された少なくとも２つの導電構造体であって、該導電構造体は、複数のモジュールパネル状構築要素の間で、機械的固定手段及び導電体のいずれとしても動作する、導電構造体と、
所望のサイズの家具全体を形成するために複数のモジュールパネル状構築要素を連結する少なくとも１つの連結部であって、該連結部は、材料又は材料の組み合わせの少なくとも１つの特徴を含み、該特徴は、機械的及び電気的固定によって、複数のモジュールパネル状構築要素が互いに連結可能であるように処理されることができる、連結部と、
前記複数のモジュールパネル状構築要素の間に電気を通すための前記複数のモジュールパネル状構築要素の間の電気接続と、
を含むモジュール構築要素アレンジメント。
【請求項１２】
前記複数のモジュールパネル状構築要素は、互いに連結されて壁構造を形成する、請求項１１に記載のモジュール構築要素アレンジメント。
【手続補正書】
【提出日】平成30年7月23日(2018.7.23)
【手続補正１】
【補正対象書類名】明細書
【補正対象項目名】００１９
【補正方法】変更
【補正の内容】
【００１９】
[0025]ここで図３を参照すると、ロータリーフィルタードラム１０６の外表面又は外周の周りに複数の区画１３２が配列されていて、フィルタードラム１０６と共に回転する。区画１３２は、それぞれ、フィルタードラムに隣接するフィルター部材１３４（図３においては１つの区画において示している）を含む。幾つかの態様においては、フィルター部材はフィルターハウジング（図示せず）内で金属スクリーン上に支持されている濾布を含む。幾つかの態様においては、濾布は、ポリエーテルエーテルケトン（ＰＥＥＫ）ポリマー又はポリビニリデンジフルオリド（ＰＶＤＦ）ポリマーから製造される。それぞれの区画１３２はまた、それに付随して対応する出口管１３６も有していて、これもフィルタードラム１０６及び区画１３２と共に回転する。出口管１３６は、それぞれの区画１３２に受容された濾液が、フィルタードラム１０６に隣接するその対応するフィルター部材１３４を通過して、その対応する出口管１３６中に流れるように構成されている。出口管１３６は区画１３２から濾液を取り出して、濾液を制御ヘッド１１６に送り、ここで更なる配管（図示せず）を通して回収して、ロータリープレッシャーフィルター装置１００から取り出す。
【手続補正２】
【補正対象書類名】明細書
【補正対象項目名】００３２
【補正方法】変更
【補正の内容】
【００３２】
[0038]当業者であれば、区画がシール部材１２２を通過して新しい区域中に回転する際に区画１３２を徐々に開放するのに好適である切除部分の他の構造を認識するであろう。
[0039]幾つかの態様においては、シール部材１２２のそれぞれが切除部分２４０を有していてよい。他の態様においては、シール部材の一部のみが切除部分を有する。例えば、図２に示す態様においては、洗浄区域１２４ｂ、１２４ｃに入るシール部材１２２ｂ、１２２ｃのみが切除部分を有している。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
プラテン、
前記プラテン上に供給材料の層を送達するように構成された、供給材料ディスペンサ装置、
レーザビームを発生させるように構成された、レーザ源、
前記レーザビームを案内して、コンピュータ可読媒体に記憶されたデータによって特定される位置において前記供給材料を溶融させるように構成された、コントローラ、
ガスを供給するように構成されたガス源、及び
前記ガスを加速させて、前記プラテン上の前記レーザビームと実質的に同じ位置に案内するように構成された、ノズル
を含む、付加製造システム。
【請求項２】
前記ノズルが、前記ガスを超音速に加速させるように構成されている、請求項１に記載のシステム。
【請求項３】
前記ノズルがラバルノズルを含む、請求項２に記載のシステム。
【請求項４】
前記レーザビームと前記ガスとが共通の軸に沿って生じ、前記プラテン上の前記供給材料に衝突する、請求項３に記載のシステム。
【請求項５】
前記レーザ源により近い第１の端部と前記プラテンにより近い第２の端部とを有した導管を含み、前記レーザビームが前記導管を通って案内され、前記ノズルが前記導管の前記第２の端部に配置されており、前記ガス源が、前記ガスを前記導管の前記第１の端部に注入するように構成されている、請求項１に記載のシステム。
【請求項６】
前記ガスが、前記供給材料の層の、製造される物体の表面に対応する領域に案内されて、前記物体上に組成の異なるコーティングを形成する、請求項１に記載のシステム。
【請求項７】
供給材料の層をプラテン上に分配すること、
レーザのビームを案内して、コンピュータ可読媒体に記憶されたデータによって特定される位置において前記供給材料を加熱すること、及び
前記プラテン上の前記レーザのビームと実質的に同じ位置に、ガス状材料を案内すること
を含む、付加製造方法。
【請求項８】
前記ガス状材料が、前記プラテン上の前記位置で化学反応を引き起こす、請求項７に記載の方法。
【請求項９】
前記ガス状材料が、前記ガス状材料の経路に配置されたノズルによって加速される、請求項７に記載の方法。
【請求項１０】
前記ガス状材料が、前記供給材料の表面仕上げを変化させるように構成されている、請求項９に記載の方法。
【請求項１１】
前記ガス状材料が、前記供給材料を除去するように構成されたエッチャントを含む、請求項７に記載の方法。
【請求項１２】
前記ガス状材料が、前記供給材料の層の、製造される物体の表面に対応する領域に案内されて、前記物体上に組成の異なるコーティングを形成する、請求項７に記載の方法。
【請求項１３】
プラテン上に供給材料の第１の層を分配すること、
コンピュータ可読媒体中のデータによって特定される前記プラテン上の第１の位置において、前記供給材料の第１の層を加熱して、前記供給材料の第１の層の一部を溶融すること、
前記溶融した供給材料が前記プラテン上に残っている間に、前記溶融した供給材料の一部分をエッチングすること、
前記プラテン上の前記エッチングされた溶融した供給材料上に、供給材料の第２の層を分配すること、及び
前記コンピュータ可読媒体に記憶されたデータによって特定される前記プラテン上の第２の位置において前記供給材料の第２の層を加熱して、前記供給材料の第２の層の第２の部分を溶融すること
を含む、付加製造方法。
【請求項１４】
プラテン、
前記プラテン上に供給材料の層を送達するように構成された、供給材料ディスペンサ装置、
レーザビームを発生させるように構成された、レーザ、
コンピュータ可読媒体に記憶されたデータによって特定される位置において、前記レーザビームに前記供給材料を溶融させるように構成された、コントローラ、及び
前記供給材料の層の実質的に全体に広がり、前記供給材料上に案内されるイオンを発生させるプラズマを発生させるように構成された、プラズマ源
を含む、付加製造システム。
【請求項１５】
前記プラズマ源は、前記レーザビームが前記供給材料を溶融する間に前記プラズマを発生させるように構成されている、請求項１４に記載のシステム。
【請求項１６】
前記コントローラは、前記プラズマ源によって前記プラズマが発生するチャンバに送達されるガスの流量又は組成を、層ごとに制御するように構成されている、請求項１４に記載のシステム。
【請求項１７】
粒子を螺旋状の運動に制限する磁石アセンブリを含む、請求項１４に記載のシステム。
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
血液をオゾンガスと接触させるための装置（1）であって、
前記装置はオゾン処理チャンバ（2）、血流入口（2a）、血流出口（2b）とを備え、
前記オゾン処理チャンバ（2）は、オゾン含有ガスの供給源に接続され且つオゾン処理チャンバ（2）を通る血流にオゾン含有ガスの気泡を注入するように構成されたオゾン注入器（3）を含み、
前記血流はオゾン含有ガスの気泡注入中に前記血液オゾン処理チャンバ（2）を通って垂直上方に上がり、
前記オゾン処理チャンバ（2）と前記オゾン注入器（3）は、前記血液オゾン処理チャンバ（2）を通る垂直上方の前記血流がオゾン含有ガスの前記気泡を前記血流に同伴させるように構成される、装置。
【請求項２】
前記装置は、前記オゾン処理チャンバ（2）に流入する血流を、好ましくは12℃未満の温度に冷却する手段を更に備える、請求項1に記載の装置。
【請求項３】
前記オゾン注入器は、2μm未満の均一な平均細孔径を有する微細孔オゾン注入器（3）である、
及び/又は、
前記オゾン注入器（3）は、オゾン含有ガスの前記気泡を提供するために、前記オゾン含有ガスが注入可能な焼結ステンレス鋼又は焼結セラミックを含む、請求項1又は請求項2のいずれか1項に記載の装置。
【請求項４】
前記オゾン処理チャンバ（2）は、前記オゾン注入器（3）の周りに血液の層流を提供するような形状である、請求項1に記載の装置。
【請求項５】
請求項1から請求項4のいずれか1項に記載の装置を備える、血液をオゾン処理するためのシステムであって、
前記システムは、血液を圧送する圧送手段（10）と、オゾン含有ガス供給源（4）とを更に含み、
前記システムは、好ましくは、前記装置（1）に流入する血流を、好ましくは12℃未満の温度に冷却する手段を含み、
前記システムは、好ましくは、前記装置（1）から流出する血流を加温する手段を更に備え、
前記圧送手段（10）は前記装置を介して血液を圧送し、
前記オゾン含有ガス供給源（4）は前記オゾン注入器（3）に流体的に結合される、システム。
【請求項６】
血液をインビトロオゾン処理する方法であって、前記方法は受け入れステップ（301）と、注入ステップ（303）と、供給ステップ（305）とを有し、
前記方法は、好ましくは、加温ステップと、血流冷却ステップとを有し、
前記受け入れステップ（301）では、血流をオゾン処理装置に受け入れ、
前記注入ステップ（303）では、オゾン含有ガスの気泡を前記血流に注入し、
前記供給ステップ（305）では、前記装置からオゾン処理された血液を供給し、
前記血流は、オゾンの前記注入ステップ（303）中において垂直上方に上がり、
オゾンの前記注入ステップ（303）中において前記血液が好ましくは12℃未満の温度にあり、
前記血流冷却ステップでは、前記血流の受け入れステップ（301）の前に、前記血流を12℃未満の温度に冷却し、
前記加温ステップでは、前記装置（1）を出る血流中の前記オゾン処理された血液を加温する、好ましくは前記オゾン注入の位置の上流で加温し、
前記血液の前記インビトロオゾン処理が、好ましくは、前記血液の保管前又は前記血液の保管後に行われる、方法。
【請求項７】
血液冷却ステップを含み、
前記血液冷却ステップでは、オゾンの前記注入ステップ（303）中における前記血液の温度を12℃未満にするため、前記オゾン注入の位置の上流で前記血流中の前記血液を冷却する、請求項6に記載の方法。
【請求項８】
気泡提供ステップを含み、
前記気泡提供ステップでは、平均直径が5μm未満であるマイクロバブルとして前記気泡を提供する、請求項6又は7に記載の方法。
【請求項９】
前記オゾン含有ガスは、立方メートル当たり10g未満のオゾンを含み、又は、前記オゾン含有ガスは5?20重量％のオゾンと95?80重量％ の酸素、好ましくは90重量％の酸素と10重量％のオゾンとを含む、
及び/又は
オゾンの前記注入ステップ（303）中の前記血流が約0.1リットル／時間から約10リットル／時間であり、前記オゾン含有ガスの流量が1時間当たり約0.01リットルから約1リットル／時間である、
及び/又は
前記オゾン含有ガスが1バール未満の圧力で前記血流に注入される、請求項6から8のいずれか1項に記載の方法。
【請求項１０】
気泡溶解ステップを含み、
前記気泡溶解ステップでは、前記血液の前記オゾン処理のためのオゾンの前記注入ステップ（303）後の10秒以内に、前記血流中の前記血液中における前記気泡を完全に溶解する、請求項6から請求項9のいずれか１項に記の方法。
【請求項１１】
調節ステップを含み、
好ましくは、防止最小化ステップを含み、
前記調節ステップでは、血液の流量、オゾン含有ガスの注入圧力、及び／又はオゾン含有ガスの流量を調節し、
前記防止最小化ステップでは、前記調節ステップによってオゾンの前記注入ステップ(303)中に気泡の合体を防止又は最小化する、請求項6から請求項10のいずれか1項に記載の方法。
【請求項１２】
オゾン処理による血液中の微生物を殺菌する殺菌ステップを好ましくは含む患者の治療又は予防処置、好ましくは、前記オゾン処理による前記血液中の微生物感染の治療的処置といった目的のために、前記血液をオゾンガスとインビボ又はインビトロ接触させるための装置（1）であって、
前記装置は、血液をオゾン処理するためのオゾン処理チャンバ（2）と、血流入口（2a）と、血流出口（2b）と、前記オゾン処理チャンバ（2）に入る血流を冷却する手段とを備え、
前記装置は、好ましくは、前記装置（1）を出る血流を加温する手段を備え、
前記冷却手段は好ましくは血流を12℃未満の温度に下げ、
前記オゾン処理チャンバ（2）は、オゾン含有ガスの供給源に接続され且つ前記オゾン処理チャンバ（2）を通る血流にオゾン含有ガスの気泡を注入するように構成されたオゾン注入器（3）を備え、
前記オゾン処理チャンバ（2）及び前記オゾン注入器（3）は、血液オゾン処理チャンバ（2）を通る、前記冷却手段によって冷やされた前記血流が前記オゾン含有ガスの前記気泡を前記血流に同伴させるように構成され、
前記血流は、オゾン注入中に前記血液オゾン処理チャンバ（2）を通って垂直上方に上がり、
前記装置は、前記患者から血液を採取する手段と、オゾン処理された血液を前記患者に戻す手段と、を備える、装置。
【請求項１３】
請求項1-5又は12のいずれかに記載の装置と、
アフェレーシス装置、透析装置又は心肺装置と、
を備えるシステム。
【請求項１４】
１つ以上の不活性ガスの供給源を含み、及び／又は、混合ステップを含み、
前記混合ステップでは、前記オゾン注入器に到達する前に、前記1つ以上の不活性ガスを前記オゾン含有ガスと混合する、請求項1から請求項13のいずれか1項に記載の装置、システム又は方法。
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
消費財の容器であって、
ボックスおよび前記ボックスを閉じるリッドを備えるハウジングと、
ラッパーに包まれかつ前記ハウジング内に含まれる１つ以上の消費財であって、前記ラッパーが、前記リッドが開いている時に部分的に露出し、また前記リッドが開いて前記消費財が露出された時に取り外すことができる取り外し可能部分を持つものとを備え、
前記ラッパーの前記取り外し可能部分が、前記リッドが開いている時に見える第一の部分、および前記ボックスの１つ以上の壁の下にあり前記リッドが開いている時には見えない第二の部分を持ち、
前記ラッパーの前記取り外し可能部分の前記第二の部分には、前記リッドが開いている時に露出される前記ラッパーの前記部分とは視覚的に区別される１つ以上のしるしが記載される、容器。
【請求項２】
前記ラッパーの前記第一の部分に１つ以上のしるしが記載され、また前記ラッパーの前記第二の部分にある前記１つ以上のしるしが、前記ラッパーの前記第一の部分にある前記１つ以上のしるしとは視覚的に区別される、請求項１に記載の容器。
【請求項３】
前記ハウジングのリッドが開かれると見える前記ラッパーの１つ以上の部分にしるし全体のうち一部分が記載され、またしるし全体の別の部分は、前記ラッパーの前記取り外し可能部分の前記第二の部分に記載される、請求項１または２に記載の容器。
【請求項４】
前記リッドが、前記ボックスからヒンジ線に沿って前記ハウジングの後部壁を横切って延び、また前記リッドが、開位置と閉位置の間で移動可能であり、また前記リッドの前部壁および前記ボックスの前部壁がともに前記ハウジングの前記後部壁と反対側にある前記ハウジングの前部壁を画定する、請求項１〜３のいずれか１項に記載の容器。
【請求項５】
前記ラッパーの前記取り外し可能部分の前記第二の部分が前記ボックスの前部壁の下にある、請求項１〜４のいずれか１項に記載の容器。
【請求項６】
前記ラッパーの前記取り外し可能部分の前記第二の部分の前記面積が、前記ラッパーの前記取り外し可能部分の前記面積の少なくとも１０パーセントである、請求項１〜５のいずれか１項に記載の容器。
【請求項７】
前記ラッパーの前記取り外し可能部分が前方パネルを含み、かつ前記ラッパーの前記取り外し可能部分の前記前方パネルの面積の少なくとも２０パーセントが前記ボックスの前部壁の下にある、請求項１〜６のいずれか１項に記載の容器。
【請求項８】
前記ラッパーの前記取り外し可能部分が前方パネルを備え、前記取り外し可能なタブ部分の前記前方パネルの高さが前記ハウジングの高さの少なくとも３０パーセントに相当する、請求項１〜７のいずれか１項に記載の容器。
【請求項９】
前記１つ以上の消費財が複数の喫煙物品である、請求項１〜８のいずれか１項に記載の容器。
【請求項１０】
前記ラッパーの前記取り外し可能部分の前記第二の部分が、少なくとも８００平方ミリメートルの表面積を持つ、請求項１〜９のいずれか１項に記載の容器。
【請求項１１】
前記ラッパーの前記取り外し可能部分の前記第二の部分の長さが前記ハウジングの長さの少なくとも１５パーセントである、請求項１〜１０のいずれか１項に記載の容器。
【請求項１２】
前記ラッパーが虚弱線を含み、それに沿って前記ラッパーの前記取り外し可能部分を前記ラッパーの残りの部分から分離することのできる、請求項１〜１１のいずれか１項に記載の容器。
【請求項１３】
前記ボックス部分が、開口部の端を画定する上端を持つボックス前部壁を含み、消費財は前記リッドが前記開位置にある時に、その開口部を通して前記容器から取り外すことができ、また前記ボックス前部壁の前記上端と前記ラッパーの前記取り外し可能部分を画定する前記虚弱線との間の距離が少なくとも１０ミリメートルである、請求項１〜１２のいずれか１項に記載の容器。
【請求項１４】
前記虚弱線が穿孔線を含む、請求項１２または１３に記載の容器。
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
ステアリングホイールのアーマチュアの一部に隣接して配置される少なくとも1つの光源と、
光最適化チャンネルを画定し、前記光最適化チャンネルが前記光源に隣接して配置される基端部を有する、キャリアと、
内面と外面とを有する光拡散層とを備え、前記光拡散層の前記内面は、前記光最適化チャンネルの先端部に隣接して配置され、前記光拡散層は、前記内面から前記外面にこれを通過するときに光を拡散するように構成される、ステアリングホイール用ライトバーシステム。
【請求項２】
前記光拡散層は、光拡散層を横断する一続きの光として現れるように、そこを通して光を拡散させるように構成される、請求項１に記載のライトバーシステム。
【請求項３】
前記光拡散層は、光拡散フィルムを有する、請求項１に記載のライトバーシステム。
【請求項４】
前記光拡散層は、外側レンズを有する、請求項１に記載のライトバーシステム。
【請求項５】
外側レンズと、ドライバに対向する前記外側レンズの外面と、前記光拡散層に対向する前記外側レンズの内面とを更に有する、請求項１に記載のライトバーシステム。
【請求項６】
前記光拡散層は、前記外側レンズの内面に配置される、請求項５に記載のライトバーシステム。
【請求項７】
前記光拡散層は、光拡散フィルムであり、前記システムは、更に、前記光最適化チャンネルの前記先端部と前記外側レンズの前記内面との間に配置される１つまたは複数の追加の光変換フィルムを有する、請求項５に記載のライトバーシステム。
【請求項８】
前記１つまたは複数の追加の光変換フィルムは、輝度増大フィルムと、光拡散フィルムと、光変向フィルムとを有するグループから選択される、請求項７に記載のライトバーシステム。
【請求項９】
前記１つまたは複数の追加光変換フィルムは、輝度増大フィルムと、前記光最適化チャンネルに隣接して配置された前記光拡散フィルムと、前記光拡散フィルムとレンズとの間に配置される前記輝度増大フィルムとを有する、請求項８に記載のライトバーシステム。
【請求項１０】
前記１つまたは複数の追加光変換フィルムは、更に、光変向フィルムを有し、前記光変向フィルムは、前記輝度増大フィルムとレンズとの間に配置されている、請求項９に記載のライトバーシステム。
【請求項１１】
前記輝度増大フィルムは、第１輝度増大フィルムであり、前記１つまたは複数の追加光変更フィルムは、更に、前記第１輝度増大フィルムに隣接して配置される第２輝度増大フィルムを有する、請求項９に記載のライトバーシステム。
【請求項１２】
前記外側レンズの外面は、前記ステアリングホイールの外皮と同一面となる関係で配置可能である、請求項５に記載のライトバーシステム。
【請求項１３】
前記外側レンズは、更に、前記外側レンズの内面から前記ステアリングホイールのアーマチュアに向けて延びる側部を有し、この側部は、前記アーマチュアの近部に前記外側レンズを固定するように構成される、請求項１２に記載のライトバーシステム。
【請求項１４】
前記光拡散層は、少なくとも1の光拡散フィルムを有し、前記システムは、更に、外側レンズを有し、前記光拡散フィルムは前記光最適化チャンネルの前記先端部と前記外側レンズの内面との間に配置される、請求項１に記載のライトバーシステム。
【請求項１５】
前記光拡散層は、レンズに入る全ての周囲光をブロックする、請求項１に記載のライトバーシステム。
【請求項１６】
前記光源は、１つまたは複数の発光ダイオード（ＬＥＤ）を有し、少なくとも１つのＬＥＤは、１つまたは複数の可視光ＬＥＤと１つまたは複数の赤外光ＬＥＤとを有する、請求項１に記載のライトバーシステム。
【請求項１７】
前記可視光ＬＥＤは、前記ＰＣＢの中央部に隣接して配置され、前記赤外光ＬＥＤは、前記ＰＣＢの各端部に隣接して配置される、請求項１６に記載のライトバーシステム。
【請求項１８】
前記光最適化チャンネルの表面は、反射コーティングを有する、請求項１に記載のライトバーシステム。
【請求項１９】
発泡体成形層が、前記ステアリングホイールのアーマチュア及び前記キャリアの一部の周りに配置される、請求項１に記載のライトバーシステム。
【請求項２０】
前記キャリアは、アーマチュアの周りに配置されかつ１つまたは複数の締結具を介して前記アーマチュアに隣接して配置される発泡体成形層で形成される、請求項１に記載のライトバーシステム。
【請求項２１】
前記１つまたは複数の締結具は、クリップを有する、請求項２０に記載のライトバーシステム。
【請求項２２】
前記光源は、少なくとも１つの発光ダイオード（ＬＥＤ）を有し、前記システムは更に、前記少なくとも１つのＬＥＤが配置される印刷回路基板（ＰＣＢ）を有する、請求項１に記載のライトバーシステム。
【請求項２３】
前記ＰＣＢとステアリングホイールのアーマチュアとの間に配置される伝熱パッドを更に有し、前記伝熱パッドは、前記ＰＣＢから前記ステアリングホイールのアーマチュアに熱を放散するよう構成される、請求項２２に記載のライトバーシステム。
【請求項２４】
前記光源は、少なくとも１つの発光ダイオード（ＬＥＤ）を有し、前記システムは、更に、少なくとも１つのＬＥＤが配置される印刷回路基板（ＰＣＢ）を有し、発泡体成形層が前記ステアリングホイールのアーマチュアの周りに配置され、その一部が前記ＰＣＢから前記ステアリングホイールのアーマチュアに熱を伝達する少なくとも１つの熱伝達材料を有する、請求項１に記載のライトバーシステム。
【請求項２５】
前記光最適化チャンネルは、前記基端部と前記先端部との間に延びる反射面を有する、請求項１に記載のライトバーシステム。
【請求項２６】
ステアリングホイールのアーマチュアの一部に隣接して配置される少なくとも１つの光源と、
第１面と第２面とを有する光拡散層とを備え、前記光拡散層の前記第１面は前記光源に隣接して配置され、前記光拡散層は、前記第２面から出る光が、前記光拡散層の第２面を横断する一続きの光として現れるように、前記第１面から前記第２面に光が通るときに光を拡散するように構成される、ステアリングホイール用ライトバーシステム。
【請求項２７】
ステアリングホイールのアーマチュアの一部に隣接して配置される少なくとも１つの光源と、
内面と外面とを有する光拡散層とを備え、
光は、光が前記光拡散層を前記内面から前記外面に通るときに拡散され、前記光拡散層の前記内面は、空隙が前記内面と前記光源との間に画定され、外面から出る光が前記外面を横断する一続きの光として現れるように、光源から離隔する、ステアリングホイール用ライトバーシステム。